(57)【要約】【課題】  合成樹脂製手提げ袋の開口部等を、開閉自在に係止できる糊を使わない開閉用粘着シートを提供する。【解決手段】  糊を使わない開閉用粘着シートは、糊を使わない開閉用粘着シートを適宜の形状に形成した粘着シート本体の表面、長さ方向の一端に摘み部を設けて構成される。また、摘み部を、粘着面と粘着面を粘着して形成する。以上の構成に加え、糊を使わない開閉用粘着シートの表面の中央、幅方向の両端に三角形のマークを表示する。【選択図】図１０
2017082183.tif 000002
【特許請求の範囲】
【請求項１】
糊を使わない開閉用粘着シートを適宜の形状に形成した粘着シート本体の表面、長さ方向の一端に摘み部を設けてなることを特徴とする糊を使わない開閉用粘着シート。
【請求項２】
摘み部を、粘着面と粘着面を粘着して形成したことを特徴とする請求項１の糊を使わない開閉用粘着シート。
【請求項３】
三角形のマークを、表面の中央、幅方向の両端に表示したことを特徴とする請求項１または２の糊を使わない開閉用粘着シート。
【発明の詳細な説明】
【技術分野】
【０００１】  本発明は、合成樹脂製手提げ袋の開口部等を開閉する際に用いる、糊を使わない開閉用粘着シートに関するものである。
【背景技術】
【０００２】  従来、開口部に封緘用粘着テープを備えて開閉するようにした手提げ袋用シール部材があった。（特許文献１参照）
【先行技術文献】
【特許文献】
【０００３】
【特許文献１】  特開２００４−２５００３３号公報
【発明の概要】
【発明が解決しようとする課題】
【０００４】  従来使用されているものは次のような問題点があった。
（イ）粘着剤を使用しているため、使用回数が多くなるとその分粘着力が低下する。
（ロ）構造が複雑なのでコストが高くなる。
本発明は、これらの問題点を解決するためになされたものである。
【課題を解決するための手段】
【０００５】  上記課題を解決するための請求項１の発明は、糊を使わない開閉用粘着シートであって  、糊を使わない開閉用粘着シートを適宜の形状に形成した粘着シート本体の表面、長さ  方向の一端に摘み部を設けてなることを特徴とする。【０００６】  また、請求項２の発明は、糊を使わない開閉用粘着シートであって、摘み部を、粘着面  と粘着面を粘着して形成したことを特徴とする。【０００７】  そして、請求項３の発明は、請求項１または２の糊を使わない開閉用粘着シートであっ  て、三角形のマークを、表面の中央、幅方向の両端に表示したことを特徴とする。
以上の構成よりなる糊を使わない開閉用粘着シートである。
【発明の効果】
【０００８】  上記請求項１の発明によれば
（イ）光沢面を有する合成樹脂製の手提げ袋の両側面に、該粘着シートを架け渡して貼    り付け、手提げ袋の開口部を開閉自在に閉止できる。
（ロ）また、本を持ち歩くとき、その本のブックカバーが光沢面を有する合成樹脂製の    ものであるならば、ブックカバーに該粘着シートを貼り付けて、本が開かないように    することができる。
（ハ）そして、光沢面を有する合成樹脂製の大型封筒の場合、該粘着シートをフラップ    の上から貼り付けて閉止するなど、様々なものに使用することができ、汎用性も高く    使い勝手が良い。
（ニ）しかも、該粘着シートは、貼り付けと引き剥がしの繰り返しが可能であり、糊を    使っていないので糊残りすることがなく、該粘着シートを剥がすときは、ピンポイン    トで摘み部をつまむことができるので、迅速かつ簡単に引き剥がすことができる。【０００９】  請求項２の発明は、摘み部を、粘着面と粘着面を粘着して形成するという単純な工程で  設けることができ、別途、摘み部用の部品を使用するものではないため、コストを低く  抑えることができる。【００１０】  請求項３の発明によれば、該粘着シートの表面の中央、幅方向の両端に該粘着シートの  中央部分であることを示す三角形のマークが表示されているので、バランス良く貼り付  ける際の目安になる。
【図面の簡単な説明】
【００１１】
【図１】  本発明の第１実施形態に用いる粘着シート本体の平面図。
【図２】  本発明の第１実施形態の側面図。
【図３】  本発明の第１実施形態の一部拡大斜視図。
【図４】  本発明の第１実施形態の使用状態正面図。
【図５】  本発明の第２実施形態に用いる粘着シート本体の平面図。
【図６】  本発明の第２実施形態の側面図。
【図７】  本発明の第２実施形態を手提げ袋に用いた状態の側面図。
【図８】  本発明の第３実施形態の平面図。
【図９】  本発明の第３実施形態の使用状態斜視図。
【図１０】  本発明の第３実施形態の使用状態斜視図。
【図１１】  本発明の第３実施形態の使用状態正面図。
【発明を実施するための形態】
【００１２】  以下、本発明の実施形態について図を参照して説明すると共に、糊を使わない開閉用粘着シートを単に粘着シート（１，１０，１００）という。
そして、本発明の粘着シート本体（２，２０）はコーワシェルシート（商品名）を使用する。
該コーワシェルシート（商品名）は、ヤモリの足裏原理を活用したものであり、平滑面を有するガラスや、光沢面を有する合成樹脂製の手提げ袋などに強力に張り付き、自在に剥がせる柔軟性を併せ持つ、糊を使わない印刷可能な粘着シートである。
【００１３】  〔第１実施形態〕
図１は、本発明の第１実施形態に用いる粘着シート本体（２）の平面図である。
図２は、本実施形態である粘着シート（１）の側面図、図３は、同じく粘着シート（１）の一部を拡大した斜視図である。
【００１４】  図１に示す粘着シート本体（２）は、適宜の形状に形成されており、粘着シート本体（２）の裏面は粘着面（３）となっている。図２に示すように、粘着シート本体（２）の表面（４）、長さ方向の一端（図１の右端、長方形部分）に摘み部（５）を設ける。これにより本実施形態である粘着シート（１）が完成する。
【００１５】  上述した本実施形態の粘着シート（１）を使用する際は、例えば図４に示すように、手提げ袋（７）の両開口部を閉止するときは、粘着シート（１）を手提げ袋（７）の両側面に架け渡して、バランスを考慮しながら貼り付ける。粘着シート（１）を剥がすときは、摘み部（５）をつまんで引き剥がす。
【００１６】  〔第２実施形態〕
本実施形態は、摘み部を、粘着面と粘着面を粘着して形成した形態である。
図５は、本実施形態に用いる粘着シート本体（２０）の平面図である。そして、図６は粘着シート（１０）の側面図であり、本実施形態の完成形態を示すものである。以下、上記実施形態と重複する部分は省略すると共に、本実施形態について説明する。
【００１７】  まず、図５に示すように、粘着シート本体（２０）の一端（右端の長方形部分）の中央部分を裏側に折り畳む。そして折り畳んだ部分の粘着面（３０）と粘着面（３０）を粘着して摘み部（５０）を形成し、本実施形態の粘着シート（１０）が完成する（図６）。
図６は、本実施形態の完成形態である粘着シート（１０）の側面図である。
【００１８】  図７は、本実施形態の粘着シート（１０）を手提げ袋（７）の両側面に貼り付けた状態を示した側面図である。
本実施形態の粘着シート（１０）の使用方法は、前記第１実施形態の場合と同様である。
【００１９】  〔第３実施形態〕
本発明の第３実施形態は、前記第１実施形態である粘着シート（１）又は第２実施形態である粘着シート（１０）の、それぞれの表面（４又は４０）の中央、幅方向の両端に三角形のマーク（６）を表示した形態であり、図８は、本実施形態の完成形態である粘着シート（１００）の平面図である。
【００２０】  本発明は、本実施形態に記載した三角形のマーク（６）に限定されるものではなく、例えば、矢印（→）、Ｖ字（Ｖ）、星型（☆）などのマークも本発明の技術範囲に含まれる。
【００２１】  上述した本実施形態である粘着シート（１００）を使用する方法は以下のとおりである。
（イ）例えば、図９に示すように、光沢面を有する合成樹脂製のブックカバー（９）を使用した本（８）の場合、その本（８）が開かないように粘着シート（１００）を使用するときは、三角形のマーク（６）をブックカバー（９）の一方の前縁に合わせ、ブックカバー（９）の両側面に粘着シート（１００）をバランス良く貼り付ける。粘着シート（１００）を剥がすときは、摘み部（５００）をつまんで引き剥がす。
（ロ）また、図１０に示すように、光沢面を有する合成樹脂製の手提げ袋（７）の両開口部を閉止するときは、三角形のマーク（６）を一方の開口部上縁の略中央部に合わせる。そして、粘着シート（１００）を手提げ袋（７）の両側面に架け渡してバランス良く貼り付ける。粘着シート（１００）を剥がすときは、摘み部（５００）をつまんで引き剥がす。
（ハ）あるいは、図１１に示すように、光沢面を有する合成樹脂製の大型封筒（１１）の場合、三角形のマーク（６）をフラップ（１２）下縁略中央部に合わせ、、粘着シート（１００）を大型封筒（１１）の両面にバランス良く貼り付ける。粘着シート（１００）を剥がすときは、摘み部（５００）をつまんで引き剥がす。
【符号の説明】
【００２２】１，１０，１００・・・・・・糊を使わない開閉用粘着シート
２，２０・・・・・・・・・・粘着シート本体
３，３０・・・・・・・・・・粘着面
４，４０，４００・・・・・・表面
５，５０，５００・・・・・・摘み部
６・・・・・・・・・・・・・三角形のマーク
７・・・・・・・・・・・・・手提げ袋
８・・・・・・・・・・・・・本
９・・・・・・・・・・・・・ブックカバー
１１・・・・・・・・・・・・大型封筒
１２・・・・・・・・・・・・フラップ
【図１】
2017082183.tif 000003
【図２】
2017082183.tif 000004
【図３】
2017082183.tif 000005
【図４】
2017082183.tif 000006
【図５】
2017082183.tif 000007
【図６】
2017082183.tif 000008
【図７】
2017082183.tif 000009
【図８】
2017082183.tif 000010
【図９】
2017082183.tif 000011
【図１０】
2017082183.tif 000012
【図１１】
2017082183.tif 000013